(57)【特許請求の範囲】
【請求項１】
流動媒体、特に内燃機関の吸気の質量を測定するための装置であって、当該装置が流動媒体によって取り囲まれる温度依存的な測定部材（２１）を有しており、この測定部材（２１）が当該装置内で延びている測定通路（３０）内に配置されていて、この測定通路（３０）が入口（３２）から出口（３３）まで延び、出口（３３）には変向通路（３１）が接続しており、測定通路（３０）が該測定通路（３０）内の流動媒体の流動方向（４３）で互いに接近するように延びている２つの面を有している形式のものにおいて、測定通路（３０）内を流れる流動媒体に晒される、該流動媒体の流動方向（４３）に延在する表面（２４）を有するプレート状の測定部材（２１）が測定通路（３０）内に配置されており、該測定部材（２１）の前記表面（２４）に対しほぼ垂直に位置する測定通路（３０）の面（３７，３８）が傾けられて形成されかつ測定通路（３０）内の流動媒体の流動方向（４３）で互いに接近するように延びていることを特徴とする、流動媒体の質量を測定するための装置。
【請求項２】
測定通路（３０）の流動断面が方形であり、測定部材（２１）の表面（２４）に対して平行に延びている２つの面（３９、４０）を有している、請求項１記載の装置。
【請求項３】
互いに接近する面（３７；３８）と測定通路（３０）の中心を貫通している軸線（１２）とによって囲まれたそれぞれ１つの傾斜角度αが約８°である、請求項１また２記載の装置。
【請求項４】
測定通路（３０）と変向通路（３１）とが組立て可能な２つの部分によって形成される、請求項１記載の装置。
【請求項５】
変向通路（３１）の第１の部分（５１）の縁部面（５０）が測定通路（３０）の中心を貫通する軸線（１２）に対して傾いて形成されている、請求項１記載の装置。
【請求項６】
縁部面（５０）と測定通路（３０）の軸線（１２）とによって包囲された傾斜角度βが約３０°〜６０°の範囲内にある、請求項５記載の装置。
【請求項７】
変向通路（３１）内に、当該装置（１）を取り囲んでいる媒体との連通を形成する、少なくとも１つの開口部（６０）が設けられている、請求項１記載の装置。
【請求項８】
測定通路（３０）が床部（４５）と天井部（４６）とによって形成され、床部（４５）と天井部（４６）の壁の厚さが、測定部材（２１）の表面（２４）に対して平行に延びている側面（３９、４０）の範囲で一定である、請求項４記載の装置。
【請求項９】
測定通路（３０）が床部（４５）と天井部（４６）とによって形成され、少なくとも測定通路（３０）の範囲内で床部（４５）に、測定部材（２１）の前記表面（２４）に対しほぼ垂直に位置する測定通路（３０）の前記面（３７，３８）を形成する壁に一定の壁厚を生ぜしめる凹部（４８）が設けられている、請求項４記載の装置。
【発明の詳細な説明】
背景技術
本発明は、請求項１の上位概念部に記載した形式の流動媒体の質量を測定するための装置から出発する。直線状に延びる測定通路内に収容された、温度依存的な測定部材を有する装置がすでに公知である（ドイツ連邦共和国特許第４４０７２０９号明細書）。測定通路は、装置内で入口から出口に延びており、出口にはＳ字形を有する変向通路が接続している。流動媒体は外から測定通路内に流入し、次いで変向通路内に流入し、そこで再び出口開口部から流出する。測定通路は方形の測定断面を有しており、プレート状の測定部材に向き合わされた２つの側面が斜めに延びるように形成されていて、測定通路内の媒体の流動方向で測定通路の先が細くなっている。この場合、これらの側面に対して横断方向に延びていて測定部材が突き出している測定通路の上側面と、この上側面と向き合う測定通路の下側面とは、互いに間隔を置いて平面的もしくは互いに平行に延びている。
このような特徴を備えた装置は、ＳＡＥ文書９５０４３３（Ｉｎｔｅｒｎａｔｉｏｎａｌ  Ｃｏｎｇｒｅｓｓ  ａｎｄ  Ｅｘｐｏｓｉｔｉｏｎ  Ｄｅｔｒｏｉｔ，Ｍｉｃｈｉｇａｎ，Ｆｅｂｒｕａｒｙ２７−Ｍａｒｃｈ２，１９９５，Ｒｅｐｒｉｎｔｅｄ  ｆｒｏｍ：Ｅｌｅｃｔｒｏｎｉｃ  Ｅｎｇｉｎｅ  Ｃｏｎｔｒｏｌｓ  １９９５（ＳＰ−１０８２））に基づき公知である。１０８ページに記載された図７の上図の断面図から見られるように、測定通路と変向通路とはほぼ２つの部分から形成されており、以下に床部と呼ぶ、測定部材を有する部分は、測定通路と変向通路の側面、上側面および下側面を含んでいる。他方の部分は、測定通路および変向通路の第２の側面のみを有していて、それにより天井部を形成している。床部と天井部とはプラスチックから、たとえばプラスチック射出成形技術によって作製されていることが好都合である。測定通路の側面を先細りに形成することによって、流動方向で壁厚が増す。作製時に壁厚の増大に基づき、種々異なる冷却速度と材料集積が生じて、測定通路の側面に陥没を招く恐れのあることが判った。その結果として、想定されている装置の大量生産において、装置の達成可能な測定精度の多かれ少なかれ顕著なばらつきが生じる。
発明の利点
これに対して、請求項１の特徴部に記載の特徴を有する流動媒体の質量を測定するための本発明による装置は、次のような利点を有している。すなわち、極めてわずかな測定精度のばらつきしか生じないように、大量生産において適切に製造されたケーシングを有する装置が作製可能である。さらに、本発明による測定通路の壁の形成により、測定通路内の流動の加速が維持され得ることが特に有利である。この加速は、公知のように測定通路内、特に入口における媒体の流動の安定化を招く。
請求項２以下に記載の手段により、請求項１に記載の装置の有利な改良が可能になる。
変向通路の縁部面を傾けて形成することが特に有利であり、それにより測定通路および変向通路の作製を一層簡単にすることが可能となり、測定結果の一層の改善をきたす。
さらに、変向通路内に吸入導管内の外部流動との流動連通が開口部の形で設けられていることが有利であり、これにより場合によってはなおも存在している変向通路内の圧力波の残留異常を完全になくすことができ、その結果として測定結果の一層の改善を達成できる。そのうえ、測定通路内で発生する乱流によって生じ得る装置の測定信号ノイズが著しく減らされている。
図面
以下に、本発明の実施例を図面に基づき詳しく説明する。図１は、本発明の第１の実施例による装置の側面図を一部断面図で示しており、図２は、図１の線ＩＩ−ＩＩに沿った装置の断面図を示しており、図３は、本発明の第２の実施例による装置の側面図を一部断面で示している。
実施例の説明
図１に側面図、一部断面図で示した、１で表す装置は、流動媒体の質量、特に内燃機関の吸気質量を測定するために働く。内燃機関とは、混合圧縮する外部点火式内燃機関または空気混合する自動点火式内燃機関であってよい。装置１は、好ましくはほっそりした棒状の、差込軸線１０の方向で縦長に延びている直方体の形状を有しており、壁８から抜き出された吸入導管９の開口部に、たとえば差込み可能に導入されている。装置１は壁８内でシールリング３によってシールされており、たとえばねじ止め（詳しく図示しない）によって壁８と固く結合されている。ハッチングで示した壁８は、たとえば円筒形に形成された吸入導管９の一部であり、この吸入導管９を通って内燃機関はエアフィルタ（詳しく図示しない）を介して周囲から空気を吸入できる。吸入導管９の壁８は流動断面を仕切っている。流動断面は円筒形吸入導管９の場合はほぼ円形断面を有しており、その中心には差込軸線１０に対して直角に向けられている中軸線１１が、壁８に対して平行に軸方向に延びている。装置１は、以下に測定部１７と呼ぶ部分によって流動媒体内に突入している。この場合、測定部１７は、たとえば吸入導管９のほぼ中心の範囲にある。
装置１は、たとえば測定部１７と、支持部１８と、保持部１９とから一体的に組み立てられていて、好ましくはプラスチックからプラスチック射出成形技術で作製されている。測定部材２１は、たとえばいわゆるマイクロメカニカルな構成部材として形成されており、ケイ素をベースとして、エッチングによって生じた極めて厚さの小さい膜状のセンサ領域と、同様にエッチングによって生じた抵抗層とを備えたプレート状の支持体２０を有している。これらの抵抗層は、少なくとも１つの温度依存的測定抵抗、たとえば熱抵抗を形成する。膜の中心に、温度センサを利用して過熱に制御される熱抵抗があることが好都合である。熱抵抗によって形成された熱領域の上流側および下流側には、熱領域に対して対称的に配置された２つの測定抵抗がある。このような測定部材は、上述のＳＡＥ文書９５０４３３およびドイツ連邦共和国特許公開公報第４２１９４５４号明細書に基づき公知である。この場合、両刊行物の開示は明確にこの特許出願の構成部分をなしている。この場合、測定部材２１の支持体２０は、たとえば金属からなるプレート状収容部２３のへこみ部と合致してこのプレート状収容部２３に収容され、たとえば接着によって保持されている。測定部材２１の個々の抵抗層は、装置１の内部に延びている接続導線２６によって図１および図３で破線で示されている電子評価回路２７と電気的に接続されている。この電子評価回路２７は、たとえばブリッジ状の抵抗測定回路を含んでいる。保持部１９に設けられている差込継手２８によって、評価回路２７によって準備された電気的信号が、たとえば別の電子制御装置に評価のために供給され得る。
図１および図２に示されているように、装置１の測定部１７は直方体の形状と測定通路３０とを有している。測定通路３０は測定通路３０内の中心に延びている測定通路軸線１２に沿って、方形断面を有する入口３２から、同様に方形断面を有する出口３３まで延びている。装置１は吸気導管９内に、好ましくは測定通路軸線１２が中軸線１１に対して平行になるように組み付けられている。装置１を差込軸線１０を中心にして回転させて斜めの組付け位置で組み付けることも可能である。斜めの組付け位置に加えて、または斜めの組付け位置の代わりに、装置１を中軸線１１を中心にして傾けて傾倒された組付け位置で組み付けることも考えられる。測定通路３０は下流側でＳ字形を有する変向通路３１に移行している。測定通路３０は、中軸線１１から遠い方の、図１および図３で上側に位置している上側面３７と、中軸線１１に近い方の、図１と図３で下側に位置する下側面３８と、２つの側面３９、４０とによって仕切られている。この場合、図１および図３には図平面に対して平行に延びている側面、すなわち側面３９のみが見える。上側面３７と下側面３８とは、測定通路３０内で流動する媒体の方向４３で測定部材２１に向かって互いに接近するように延びており、測定通路３０の出口３３における最も狭い断面３６で終わっている。この出口３３は同時に変向通路３１の入口３４をなしている。抵抗層を有する測定部材２１は、測定通路３０内で流動４３の作用を受ける表面２４を有しており、これは収容部２３の表面２５と合致している。この場合、平面上でプレート状の測定部材２１の表面２４に対して横断方向に、もしくはほぼ直角に延びている測定通路３０の面３７、３８が、好ましくは約８°である傾斜角度αを包囲している。
図２、すなわち図１の線ＩＩ−ＩＩに沿った断面図に詳しく示されているように、両側面３９および４０は測定部材２１の表面２４に対してほぼ平行に延びている。それにより、互いに接近する面３７、３８だけで、測定通路３０の流動方向４３における軸方向テーパが生じている。この場合、測定部材２１は測定通路３０の最も狭い箇所３６のほぼ上流側に配置されていることが好都合である。流動方向４３に設けられている測定通路３０の先細りもしくは入口３２から出口３３への流動断面の連続的な減少は、測定部材２１の範囲で加速された流動が生じるという効果を有しており、これが測定部材２１の領域でほぼ不都合のない一様な平行流を生ぜしめる。
測定部材２１の表面２４に対して直角に延びている面３７、３８を本発明に従い斜めに形成することにより、図２に示されているように、側面３９および側面３７、３８を収容する床部４５、およびこの床部４５と、たとえば切離し可能に結合されている天井部４６が生じる。側面３９の範囲における床部４５の壁の厚さ、および側面４０の範囲における天井部４６の厚さは一定である。床部４５および天井部４６をプラスチック射出成形によって作製する想定された製造形式において、側面３９、４０の範囲における壁の厚さが一定であることにより、射出成形でのより単純な製造形式と並んで、一定の冷却速度が生じ得るという利点が提供される。このことは面３９および４０の正確な平面性の順守を保証する。図１に示されているように、さらに床部４５は、たとえば幾つかの環状凹部４８を有している。これらの凹部４８は少なくとも測定部１７の縁部範囲に設けられており、これらの凹部４８に天井部４６が突起によって嵌入でき、天井部４６が床部４５と、たとえばかみ合う。凹部４８を形成することにより、特に先端が細くなるように形成された測定通路３０内で一定の壁厚が実現される。これは作製時に一定の冷却速度を招き、測定通路３０の面３７、３８における陥没または反りを同様になくすことができる。
図３に示されている本発明による第２の実施例では、すべての等しい部材または等しい作用をする部材は図１および図２と同じ参照符号で示されている。図３に示されている装置１は、図１に対してやや変形して形成された変向通路３１を有しており、測定通路３０に直接接続している、変向通路３１の第１の部分５１の、図平面に対して直角に延びている測定通路３０の縁部面５０は、測定通路軸線１２に対して斜めに延びている。この場合、測定通路軸線１２と縁部面５０とによって包囲された傾斜角度βは、約４５°であることが好都合である。しかしまた縁部面５０を、約３０°〜６０°の範囲にある傾斜角度βで形成することも可能である。傾けられた縁部面５０は、測定通路３０の出口３３から第１の部分５１に流入する媒体を、縁部面５０に沿って変向通路３１の第２の部分５２に誘導するために設けられており、その際に、図１および図２に従う装置１におけるように、段で急に流動が拡大することはない。
縁部面５０を傾けて形成することにより、通路輪郭がより簡単に作製できることと並んで、測定通路３０の出口３３から出る流動内の異常が、たとえば渦流または圧力波の形で発生し得る異常が縁部面５０で反射される。異常が縁部面５０で時間および場所に依存して反射することによって、測定部材２１から送られる電気的信号に対する、流動内の異常に基づく影響を、ほぼ完全になくすことができるので、測定部材２１の正確な測定結果が生じる。さらに、縁部面５０の下流側で変向通路３１内に開口部６０が設けられていてよい。この開口部６０は、たとえば床部４５内の孔の形で変向通路３１内の流動と吸入導管９内の外部流動と連通させる。この開口部６０を天井部４６内にのみ設けることも考えられる。もちろん、たとえば床部４５および／または天井部４６内に複数の開口部６０が存在していてもよい。少なくとも１つの開口部６０によって、変向通路３１によって形成された、測定通路３０の出口３３の下流側で発生する圧力波に対する共鳴室は、圧力補償によって縁部面５０で反射された圧力波の減衰を招くように影響され得る。この場合、少なくとも１つの開口部６０の断面の大きさによって、共鳴室の固有周波数が発生する圧力波の周波数に同調されて、測定部材２１から出る測定値が一層改善される。
【図１】
0003953535.tif 000002
【図２】
0003953535.tif 000003
【図３】
0003953535.tif 000004